(57)【特許請求の範囲】
【請求項１】
地中に設けられ地上から水が供給される水注入管と、前記水注入管の内側に配置されて複数の噴出口を有する蒸気取出管と、前記水注入管と前記蒸気取出管との間に設けられた中管とを備えた３重管構造であり、前記蒸気取出管内底部の圧力は、タービンが必要とする圧力以下に減圧されており、前記水注入管内の水に対して地熱帯から熱が供給されて生成される高圧熱水が前記噴出口を介して蒸気取出管内で蒸気単相流に変換されて地上に取出される地熱交換器であって、前記中管の上側から下側に向かって圧縮蒸気が下降し、前記蒸気取出管の底部には、前記中管を下降した圧縮蒸気が前記蒸気取出管に向かって噴出する圧縮蒸気噴出口が設けられており、前記水注入管と前記蒸気取出管と前記中管とは生産井内に設置され、前記生産井の上部は調節弁に接続され、前記生産井の下部は開放されて地熱流体が前記生産井内に流入し、前記水注入管と前記蒸気取出管と前記中管とによって構成される３重管の外管の外側を通過する構造となっていることで、地熱帯の熱源が熱交換時に冷却されることを抑制し３重管を加熱するための熱が地熱流体によって供給されることを特徴とする地熱交換器。
【請求項２】
少なくとも１つの前記水注入管と少なくとも１つの前記蒸気取出管と少なくとも１つの前記中管とが組み合わされてなる挿入管が、複数の生産井に対して挿入されて構成され、前記蒸気取出管の出口が並列に接続されて、それぞれの生産井を用いて得られる蒸気が合計して採集され、採集された蒸気の圧力を均一化する蒸気ヘッダーを備えていることを特徴とする請求項１記載の地熱交換器。
【請求項３】
前記生産井の上部側の温度または圧力が設定値より低下したときには、前記調節弁が開いて前記地熱流体が取り出されることを特徴とする請求項１または２記載の地熱交換器。
【請求項４】
前記調節弁は、前記生産井の上部側の温度または圧力に応じて開度が調節されることを特徴とする請求項３記載の地熱交換器。
【請求項５】
前記調節弁を介して取り出された前記地熱流体は、気水分離器によって蒸気分と温水分とに分離され、温水分は予熱槽に送られてタービン作動水を加熱することを特徴とする請求項３または４記載の地熱交換器。
【請求項６】
前記水注入管に供給される水の水位を低くすることによって、前記水注入管の上部に空気層が形成されることによる断熱部が、地表面に近い低温地帯に接する領域に対して設けられていることを特徴とする請求項１から５のいずれかに記載の地熱交換器。
【請求項７】
前記水注入管に供給される水を加圧するための加圧ポンプが地上に配置されていることを特徴とする請求項１から６のいずれかに記載の地熱交換器。
【請求項８】
前記生産井は、既存の坑井であることを特徴とする請求項１から７のいずれかに記載の地熱交換器。
【請求項９】
請求項１から８のいずれかに記載の地熱交換器を用いて発電を行うことを特徴とする地熱発電装置。
【発明の詳細な説明】
【技術分野】
【０００１】
本発明は、地熱エネルギーを効率よく取り出すことができる地熱交換器および地熱発電装置に関する。
【背景技術】
【０００２】
地熱エネルギーを利用して発電する地熱発電は、高温のマグマ層を熱源とするものであり、半永久的な熱エネルギーとすることができるとともに、発電の過程において温室効果ガスを発生しないことから、化石燃料の代替手段として近年注目されている。また、原子力発電所の事故により、原子力に多くを依存していた日本のエネルギー政策は根本から見直すことを余儀なくされており、地熱エネルギーの活用への期待が高まっている。
【０００３】
従来の地熱発電は、地熱帯をボーリングし、地熱帯に存在する自然の蒸気や熱水を自然の圧力を利用して取り出し発電を行っている。そのため、取り出された蒸気と熱水には、地熱帯特有の硫黄その他の不純物が多量に含まれている。この不純物はスケールとなって、熱井戸や配管類、あるいはタービン等に付着する。スケールが付着すると、経年的に発電出力が減少し長期間の使用が困難となる。
【０００４】
このスケールによる問題を解決するために、地上から水を送り、蒸気にして取り出す方式を採用した地熱交換器が、特許文献１、特許文献２に記載されている。
【０００５】
【特許文献１】特許第５７３１０５１号公報
【特許文献２】特許第５７９１８３６号公報
【発明の概要】
【発明が解決しようとする課題】
【０００６】
特許文献１に記載されたものは、地下に設置された地熱交換器内で減圧沸騰させ、蒸気単相流を取り出すものであり、特許文献２に記載されたものは、取出した蒸気の熱損失を減少させることに関する技術であり、いずれも地熱エネルギーを効率よく取り出すことができる点に大きな利点がある。
【０００７】
しかし、特許文献１、特許文献２では、地下に設置された地熱交換器で地熱を取り出す際に、熱交換に伴って生じる地熱帯周辺の急激な温度低下は考慮されておらず、十分な潜熱が供給されることが基本的な前提条件となっている。このような地熱帯の熱源が熱交換時に冷却されることは、学会においても熱抽出に伴う急激な温度低下として問題提起がなされており、抽出熱量は地熱交換器周囲地層内の温度勾配による熱移動で決まることが報告されている。
【０００８】
熱交換という物理現象において、熱交換の対象となる相手が冷却されることは当然であるとしても、有効な地熱発電装置を実現するためには、このリスクは回避しなければならない。
【０００９】
本発明は上記の問題点を解決するためになされたもので、熱交換に伴って地熱帯が冷却される場合であっても、そのリスクを最小限にして抽出熱量を確保することが可能な地熱交換器および地熱発電装置を提供することを目的とする。
【課題を解決するための手段】
【００１０】
以上の課題を解決するために、本発明の地熱交換器は、地中に設けられ地上から水が供給される水注入管と、前記水注入管に接するように地中に設けられ、複数の噴出口を有する蒸気取出管とを備え、前記蒸気取出管内の圧力は、タービンが必要とする圧力近くに減圧されており、前記水注入管内の水に対して地熱帯から熱が供給されて生成される高圧熱水が前記噴出口を介して地中に存在する蒸気取出管内で蒸気単相流に変換され、この蒸気単相流が地上に取出される地熱交換器であって、前記水注入管と前記蒸気取出管とは生産井内に設置され、前記生産井の上部は調節弁に接続され、前記生産井の下部は開放されて地熱流体が前記生産井内に流入し、前記水注入管と前記蒸気取出管とによって構成される２重管の外管の外側を通過する構造となっていることで、地熱帯の熱源が熱交換時に冷却されることを抑制し２重管を加熱するための熱が地熱流体によって供給されることを特徴とする。
【００１１】
この地熱交換器は、地中に設けられた水注入管に対して地上から給水することで、水注入管下部において、地上からの深さにほぼ比例した圧力水を作り、この圧力水に対して地熱帯から熱が供給されて生成される高温圧力水を、地中に設けられ減圧された蒸気取出管に噴出させて地中の蒸気取出管内にて蒸気単相流に変換する方法を採っているため、熱伝導率が低い蒸気として地上に取り出されることとなり、低温地帯を通過する際に生じる熱ロスを極めて低く抑えることができるものであり、さらに、地熱帯の熱源が熱交換時に冷却されることを抑制し２重管を加熱するための熱が地熱流体によって供給されるため、熱交換に伴って地熱帯が冷却される場合であっても、抽出熱量を確保することが可能である。
【００１２】
また、本発明の地熱交換器は、地中に設けられ地上から水が供給される水注入管と、前記水注入管に接するように地中に設けられ、複数の噴出口を有する蒸気取出管とを備え、前記蒸気取出管内の圧力は、タービンが必要とする圧力近くに減圧されており、前記水注入管内の水に対して地熱帯から熱が供給されて生成される高圧熱水が前記噴出口を介して地中に存在する蒸気取出管内で蒸気単相流に変換され、この蒸気単相流が地上に取出される地熱交換器であって、前記蒸気取出管が前記水注入管の内側に配置され、前記蒸気取出管の径は、地熱帯側下方から地表側上方に向かって小さくなるように前記蒸気取出管が形成されており、前記水注入管と前記蒸気取出管とは生産井内に設置され、前記生産井の上部は調節弁に接続され、前記生産井の下部は開放されて地熱流体が前記生産井内に流入し、前記水注入管と前記蒸気取出管とによって構成される２重管の外管の外側を通過する構造となっていることで、地熱帯の熱源が熱交換時に冷却されることを抑制し２重管を加熱するための熱が地熱流体によって供給されることを特徴とする。
【００１３】
この地熱交換器では、蒸気取出管の径は、地熱帯側下方から地表側上方に向かって小さくなるように蒸気取出管が形成されていることにより、地表に近い低温領域に近づくにつれて、蒸気単相流が蒸気取出管内を上昇する際の速度が増大し通過時間が短縮される。蒸気が上昇する際の流速は、蒸気取出管の径の二乗に反比例して増大し、蒸気が上昇するに要する通過時間は、蒸気取出管の径の二乗に比例して短くなる。さらに、外管である水注入管との接触面積は、蒸気取出管の径に比例して小さくなることから、外管である水注入管との間で熱交換される熱量は、内管である蒸気取出管の径の三乗に比例して減少するため、蒸気単相流が低温領域を通過する際の熱損失を低減することができる。さらに、地熱帯の熱源が熱交換時に冷却されることを抑制し２重管を加熱するための熱が地熱流体によって供給されるため、熱交換に伴って地熱帯が冷却される場合であっても、抽出熱量を確保することが可能である。
【００１４】
また、本発明の地熱交換器は、地中に設けられ地上から水が供給される水注入管と、前記水注入管に接するように地中に設けられて複数の噴出口を有する蒸気取出管と、前記水注入管と前記蒸気取出管との境界下部領域であって前記噴出口が設けられた領域に取付けられた加熱器とを備え、前記蒸気取出管内底部の圧力は、タービンが必要とする圧力以下に減圧されており、前記水注入管内の水に対して地熱帯から熱が供給されて生成される高圧熱水が前記噴出口を介して蒸気取出管内で蒸気単相流に変換され、前記加熱器によって減圧沸騰時の温度低下が補償されて地上に取出され、前記蒸気取出管の出口側、または蒸気発生部からタービンに至る蒸気系統内にブロワーが取り付けられており、前記蒸気取出管から取り出される蒸気はブロワーによってブーストされる地熱交換器であって、前記水注入管と前記蒸気取出管とは生産井内に設置され、前記生産井の上部は調節弁に接続され、前記生産井の下部は開放されて地熱流体が前記生産井内に流入し、前記水注入管と前記蒸気取出管とによって構成される２重管の外管の外側を通過する構造となっていることで、地熱帯の熱源が熱交換時に冷却されることを抑制し２重管を加熱するための熱が地熱流体によって供給されることを特徴とする。
【００１５】
この地熱交換器では、加熱器によって減圧沸騰時の温度低下が補償されるとともに、蒸気をブロワーでブーストすることにより、ブロワーの吸込み側の圧力は、タービン圧力からブロワー圧力を差引いた数値となり、蒸気取出管底部の蒸気噴出し部の圧力は、飽和蒸気の圧力よりブロワー圧力分低下し、蒸気が飽和蒸気から過熱蒸気領域へ移動する効果と、蒸気の気化をアシストする相乗効果が生まれる。さらに、地熱帯の熱源が熱交換時に冷却されることを抑制し２重管を加熱するための熱が地熱流体によって供給されるため、熱交換に伴って地熱帯が冷却される場合であっても、抽出熱量を確保することが可能である。
【００１６】
本発明の地熱交換器においては、少なくとも１つの前記水注入管と少なくとも１つの前記蒸気取出管とが組み合わされてなる挿入管が、複数の生産井に対して挿入されて構成され、前記蒸気取出管の出口が並列に接続されて、それぞれの生産井を用いて得られる蒸気が合計して採集され、採集された蒸気の圧力を均一化する蒸気ヘッダーを備えている構成とすることができる。
【００１７】
ボーリングする場所によって、温度・圧力ともそれぞれ異なるため、発電に利用した場合に、生産井１つに対する発電出力がそれぞれ違うこととなる。そのため、複数の生産井に対して、挿入管の蒸気取出管の出口を並列につなぎ、それぞれの生産井を用いて得られる蒸気を合計して採集することで、タービン・復水器・発電機・変圧器等の容量を大きく設計することができ、発電所全体の効率がアップするという利点がある。また、蒸気ヘッダーを配置することにより、採集された蒸気の圧力の均一化を図ることができる。
【００１８】
また、本発明の地熱交換器は、地中に設けられ地上から水が供給される水注入管と、前記水注入管の内側に配置されて複数の噴出口を有する蒸気取出管と、前記水注入管と前記蒸気取出管との間に設けられた中管とを備えた３重管構造であり、前記蒸気取出管内底部の圧力は、タービンが必要とする圧力以下に減圧されており、前記水注入管内の水に対して地熱帯から熱が供給されて生成される高圧熱水が前記噴出口を介して蒸気取出管内で蒸気単相流に変換されて地上に取出される地熱交換器であって、前記中管の上側から下側に向かって圧縮蒸気が下降し、前記蒸気取出管の底部には、前記中管を下降した圧縮蒸気が前記蒸気取出管に向かって噴出する圧縮蒸気噴出口が設けられており、前記水注入管と前記蒸気取出管と前記中管とは生産井内に設置され、前記生産井の上部は調節弁に接続され、前記生産井の下部は開放されて地熱流体が前記生産井内に流入し、前記水注入管と前記蒸気取出管と前記中管とによって構成される３重管の外管の外側を通過する構造となっていることで、地熱帯の熱源が熱交換時に冷却されることを抑制し３重管を加熱するための熱が地熱流体によって供給されることを特徴とする。
【００１９】
この地熱交換器では、内管底部から地上に設置したタービンまたは熱交換器までの系内は、地熱帯温度での飽和蒸気圧未満となり、外管である水注入管底部からの水の噴出しをアシストする効果が得られるとともに、中管を下降する加圧された圧縮蒸気による加温効果のため、内管系内の蒸気は過熱蒸気と同等の状態となる。そのため、結露しない蒸気で地上に設置したタービンまたは熱交換器を駆動することができる。また、系内を負圧にして蒸気の飽和曲線より大きく圧力を下げ、温度領域を上げることによって、過熱蒸気を生産することできるため、飽和蒸気を生産する場合よりも、熱効率は格段に向上する。
さらに、地熱帯の熱源が熱交換時に冷却されることを抑制し３重管を加熱するための熱が地熱流体によって供給されるため、熱交換に伴って地熱帯が冷却される場合であっても、抽出熱量を確保することが可能である。
【００２０】
本発明の地熱交換器においては、少なくとも１つの前記水注入管と少なくとも１つの前記蒸気取出管と少なくとも１つの前記中管とが組み合わされてなる挿入管が、複数の生産井に対して挿入されて構成され、前記蒸気取出管の出口が並列に接続されて、それぞれの生産井を用いて得られる蒸気が合計して採集され、採集された蒸気の圧力を均一化する蒸気ヘッダーを備えている構成とすることができる。
【００２１】
ボーリングする場所によって、温度・圧力ともそれぞれ異なるため、発電に利用した場合に、生産井１つに対する発電出力がそれぞれ違うこととなる。そのため、複数の生産井に対して、挿入管の蒸気取出管の出口を並列につなぎ、それぞれの生産井を用いて得られる蒸気を合計して採集することで、タービン・復水器・発電機・変圧器等の容量を大きく設計することができ、発電所全体の効率がアップするという利点がある。また、蒸気ヘッダーを配置することにより、採集された蒸気の圧力の均一化を図ることができる。
【００２２】
本発明の地熱交換器においては、前記生産井の上部側の温度または圧力が設定値より低下したときには、前記調節弁が開いて前記地熱流体が取り出される構成とすることができる。
【００２３】
地熱流体は地熱帯の圧力があるため、圧力水とすることで外管への熱移動が効率よくなされ、地熱流体を通過させる過程で、地熱交換器の外管が加熱される。また、新たな地熱流体が生産井下部から流入することを促進できるため、生産井の温度と圧力を設定値以上に維持することができる。
【００２４】
本発明の地熱交換器においては、前記調節弁は、前記生産井の上部側の温度または圧力に応じて開度が調節されることとすることができる。
調節弁の開度を調節することにより、地熱流体の取り出し量を調節して、取出す地熱流体の量を必要となる熱量分だけとすることができ、環境に配慮するシステムとすることができる。
【００２５】
本発明の地熱交換器においては、前記調節弁を介して取り出された前記地熱流体は、気水分離器によって蒸気分と温水分とに分離され、温水分は予熱槽に送られてタービン作動水を加熱する構成とすることができる。
【００２６】
復水器で冷却されたタービン作動水を予熱槽によって加熱することができるため、システム全体の熱効率が向上する。また、取出された地熱流体は、地熱帯特有の不純物を含んでいるが、タービン系統へ地熱流体が入らない構造となって、タービン作動水とは完全に分離されているため、不純物の影響を受けることはない。
【００２７】
本発明の地熱交換器においては、前記水注入管に供給される水の水位を低くすることによって、前記水注入管の上部に空気層が形成されることによる断熱部が、地表面に近い低温地帯に接する領域に対して設けられている構成とすることができる。
【００２８】
対象となる地熱層によっては、地中に設置する地熱交換器に供給する水圧が大きすぎる場合がある。この水圧を下げる必要性がある場合、水注入管の水位を下げることで地熱交換器内の圧力調整が可能である。これによって水注入管の上部には空気層が形成されることになり、断熱性の高い空気層によって必然的に断熱効果を得ることができる。特に、抗井の高温地帯の深度が大きい場合、水注入管に供給する高度処理水の水位を低くすることで、地表面に近い低温地帯に接する水注入管に空気層を形成することができる。
【００２９】
本発明の地熱交換器においては、前記水注入管に供給される水を加圧するための加圧ポンプが地上に配置されている構成とすることができる。
【００３０】
地熱帯によっては、地熱帯深度ごとに高温領域が出てくる場合があり、水注入管の深さによって温度が飽和温度を超えると、水注入管内で水が沸騰して蒸気になり、システムに影響をおよぼすことが起こりうる。この対策として、水注入管に対して地上から加圧ポンプで加圧することにより、注入された水が水注入管内で沸騰することを防止できる。そのため、水注入管内で蒸気が発生することなく、水注入管の下部から噴出口を介してスムーズに蒸気に変換させることができる。また、生産される蒸気の圧力を高くすることができるため、発電出力を大幅に高くすることができる。
【００３１】
本発明の地熱交換器においては、前記生産井は、既存の坑井である構成とすることができる。
既存の設備に付帯する空の生産井や休止中の生産井に対して、少なくとも水注入管と蒸気取出管とが組み合わされて構成される挿入管を挿入して用いることにより、新たにボーリングを行うことなく、熱水によるエネルギーを取出すことができる。特に、蒸気単相流として地中から取出すことにより、挿入管の径を小さくすることができるため、使用できる生産井の自由度が高まる。
【００３２】
本発明の地熱発電装置は、本発明の地熱交換器を用いて発電を行うことを特徴とする。
本発明の地熱交換器では、地熱帯の熱源が熱交換時に冷却されることを抑制するための熱が地熱流体によって供給されるため、熱交換に伴って地熱帯が冷却される場合であっても、抽出熱量を確保することが可能であり、熱交換時における熱源の冷却にも対応した地熱発電を実現することができる。
【発明の効果】
【００３３】
本発明によると、熱交換に伴って地熱帯が冷却される場合であっても、抽出熱量を確保することが可能な地熱交換器および地熱発電装置を実現することができる。
【図面の簡単な説明】
【００３４】
【図１】本発明の第一実施形態に係る地熱交換器と地熱発電装置を示す図である。
【図２】本発明の第二実施形態に係る地熱交換器と地熱発電装置を示す図である。
【図３】本発明の第三実施形態に係る地熱交換器と地熱発電装置を示す図である。
【図４】本発明の第四実施形態に係る地熱交換器と地熱発電装置を示す図である。
【図５】本発明の第一実施形態において加圧ポンプを付加したものを示す図である。
【図６】本発明の第二実施形態において加圧ポンプを付加したものを示す図である。
【図７】本発明の第三実施形態において加圧ポンプを付加したものを示す図である。
【図８】本発明の第四実施形態において加圧ポンプを付加したものを示す図である。
【発明を実施するための形態】
【００３５】
以下に、本発明の地熱交換器および地熱発電装置を、その実施形態に基づいて説明する。図１に、本発明の第一実施形態に係る地熱交換器と地熱発電装置を示す。
図１において、地熱交換器１は、地中に設けられて地上から水が供給される水注入管２と、水注入管２に接するように地中に設けられた蒸気取出管３とを備えている。図１においては、水注入管２を地熱帯４側に近い外管とし、蒸気取出管３を水注入管２の内側に設けた内管とした２重管構造としているが、その逆に、蒸気取出管３を外管とし、水注入管２を内管としてもよい。
【００３６】
蒸気取出管３には、その下部領域に、複数の噴出口５が設けられており、水注入管２と蒸気取出管３とは、この噴出口５によって開口状態となっている。すなわち、噴出口５は、水注入管２と蒸気取出管３との境界に設けられている。蒸気取出管３はタービン６に接続されており、蒸気取出管３内の圧力は、タービン６が必要とする圧力近くに減圧されている。
【００３７】
水注入管２に自然の落差を利用して供給された水は、水注入管２の底部付近において、地上からの深さにほぼ比例した圧力が加えられ、地熱帯４から熱が供給されて高温圧力水となる。蒸気取出管３内は減圧されているため、この圧力差を利用して、高温圧力水は矢印で示すように、噴出口５から噴霧状態で蒸気取出管３内へ噴き出し、タービン６が必要とする圧力と、水注入管２の底部との圧力差を利用して気化して蒸気単相流に変換される。地下にて生成された蒸気単相流は、蒸気取出管３とタービン６との圧力差でタービン６へ移動したのち、タービン６内で膨張してタービン６を回す動力となる。この動力によって発電機７により発電がなされる。
【００３８】
タービン６を出た蒸気はその後、復水器８にて冷却水により冷却されて水に戻り、再び水注入管２に供給される。循環する水量はタービン６が必要とする蒸気量に等しいため、循環させる水量は非常に少なくて済む。この過程を繰り返すことによって、連続して地熱を取り出す。必要に応じて、補給水は補給水槽１２から補給される。
【００３９】
蒸気取出管３とタービン６との間には、蒸気ヘッダー１８が設けられている。蒸気ヘッダー１８は、複数の生産井から生産された蒸気をまとめて、単機のタービン６に供給するような場合に用いられるもので、これにより、圧力を均一化させることができる。
【００４０】
水注入管２と蒸気取出管３とは生産井９内に設置され、生産井９の上部１１は調節弁１３に接続されるとともに生産井９の下部１０は開放されて、地熱流体が生産井９内に流入し２重管の外管である水注入管２の外側を通過する構造となっており、地熱帯４の熱源が熱交換時に冷却されることを抑制し２重管を加熱するための熱が地熱流体によって供給される。生産井９の外管は、ボーリング時に挿入したケーシング１９をそのまま使用する。地熱流体とは、マグマからの熱で熱せられた高温高圧の地下水のように、地熱エネルギーによって高いエネルギーを獲得した流体を意味する。
【００４１】
このように、地熱交換器１は生産井９内に挿入され、地熱交換器１の最下部は、ケーシング１９よりもさらに深く設置して、地熱帯４との熱伝導面積が大きくなるようにしている。生産井９と地熱交換器１とは、生産井９の深さ分熱交換ゾーンを大きくすることができ、地熱帯４上部、低温地帯２０における地熱交換器１の熱損失を低減することができる。
【００４２】
生産井９の上部１１は調節弁１３に接続されている。生産井９の上部１１側の温度と圧力は常時計測されており、生産井９の上部１１側の温度または圧力が設定値より下がった場合には、調節弁１３を「開」にして、地熱流体の自然の圧力を利用して地熱流体を通過させて生産井９から取り出す。地熱流体を通過させる過程で、地熱交換器１の外管が加熱される。地熱流体は、地熱帯の圧力があるため、生産井９上部の圧力を調節した圧力水とすることで、外管への熱移動が効率よくなされる。
【００４３】
調節弁１３は、生産井９の上部１１側の温度または圧力に応じて開度が調節される。調節弁１３の開度を調節することにより、地熱流体の取り出し量を調節して、取出す地熱流体の量を必要となる熱量分だけとすることができ、環境に配慮するシステムとすることができる。
【００４４】
生産井９の外部に取り出された地熱流体は、気水分離器１４で減圧して、蒸気分と温水分とに分離される。蒸気分は大気開放させ、温水分は予熱槽１５に送られて、復水器８にて冷却されたタービン作動水を加熱する。これによりシステム全体の熱効率が向上する。
【００４５】
気水分離器１４で温水となった地熱流体は、移送ポンプ１６によって還元井に送られて地中に戻され、温泉水の減少防止に役立たせる。取出された地熱流体は、地熱帯４特有の不純物を含んでいるが、タービン系統へ地熱流体が入らない構造となって、タービン作動水とは完全に分離されているため、不純物の影響を受けることはない。
【００４６】
生産井９の上部１１側の温度と圧力が設定値より高い場合は、地熱交換システムが有効に機能していることを意味するため、この場合は調節弁を「閉」にして、地熱流体を取り出さないようにして、環境へ配慮する。
【００４７】
上述したように、地熱流体は必要時においては取り出して利用するが、タービン系統を含む蒸気系統とは完全に別系統としており、地熱流体を取り出すことにおいては環境負荷を与えることにはなるが、タービンその他の蒸気系統は汚染されないシステムとすることができる。また、環境に配慮して、地熱流体のうち温水分は、還元井から地中に戻すことにするが、薬品注入は最小限に抑えて、地下水の汚染を防止し、取出す地熱流体の量は必要となる熱量分だけとする
なお、図１においては、地上から注入された水と、生成された蒸気の流れを白い矢印で示し、地熱流体の流れを黒い矢印で示している。これは、以下に説明する図２、図３、図４においても同様である。
【００４８】
図２に、本発明の第二実施形態に係る地熱交換器と地熱発電装置を示す。
図２において、地熱交換器１は、地中に設けられて地上から水が供給される水注入管２と、水注入管２に接するように地中に設けられた蒸気取出管３とを備えている。図２においては、水注入管２を地熱帯４側に近い外管とし、蒸気取出管３を水注入管２の内側に設けた内管とした２重管構造としている。
【００４９】
蒸気取出管３には、その下部領域に、複数の噴出口５が設けられており、水注入管２と蒸気取出管３とは、この噴出口５によって開口状態となっている。すなわち、噴出口５は、水注入管２と蒸気取出管３との境界に設けられている。蒸気取出管３はタービン６に接続されており、蒸気取出管３内の圧力は、タービン６が必要とする圧力近くに減圧されている。
【００５０】
水注入管２に自然の落差を利用して供給された水は、水注入管２の底部付近において、地上からの深さにほぼ比例した圧力が加えられ、地熱帯４から熱が供給されて高温圧力水となる。蒸気取出管３内は減圧されているため、この圧力差を利用して、高温圧力水は矢印で示すように、噴出口５から噴霧状態で蒸気取出管３内へ噴き出し、タービン６が必要とする圧力と、水注入管２の底部との圧力差を利用して気化して蒸気単相流に変換される。地下にて生成された蒸気単相流は、蒸気取出管３とタービン６との圧力差でタービン６へ移動したのち、タービン６内で膨張してタービン６を回す動力となる。この動力によって発電機７により発電がなされる。
【００５１】
タービン６を出た蒸気はその後、復水器８にて冷却水により冷却されて水に戻り、再び水注入管２に供給される。循環する水量はタービン６が必要とする蒸気量に等しいため、循環させる水量は非常に少なくて済む。この過程を繰り返すことによって、連続して地熱を取り出す。必要に応じて、補給水は補給水槽１２から補給される。蒸気取出管３とタービン６との間には、蒸気ヘッダー１８が設けられている。
【００５２】
蒸気取出管３の径は、地熱帯側下方から地表側上方に向かって小さくなるように、蒸気取出管３が形成されている。図２においては、蒸気取出管３の径が、地熱帯側下方から地表側上方に向かって段階的に小さくなっている構造のものを示しているが、地熱帯側下方から地表側上方に向かって連続的に小さくなっている構造のものであってもよい。
【００５３】
蒸気取出管３の径が、地熱帯側下方から地表側上方に向かって小さくなるように蒸気取出管３が形成されていることにより、地表に近い低温地帯２０に近づくにつれて、蒸気単相流が蒸気取出管３内を上昇する際の速度が増大し通過時間が短縮される。外管である水注入管２との間で熱交換される熱量は、内管である蒸気取出管３の径の三乗に比例して減少するため、蒸気単相流が低温領域を通過する際の熱損失を低減することができる。
【００５４】
また、外管である水注入管２を設置した後で、内管である蒸気取出管３を取り付ける場合には、蒸気取出管３の径が地熱帯側下方から地表側上方に向かって小さくなっていることにより、地熱帯側下方の径と同一の径で蒸気取出管３を形成する場合と比べて、蒸気取出管３の重量を軽くすることができ、工事の際の利便性を高めることができる。
【００５５】
水注入管２と蒸気取出管３とは生産井９内に設置され、生産井９の上部１１は調節弁１３に接続されるとともに生産井９の下部１０は開放されて、地熱流体が生産井９内に流入し２重管の外管である水注入管２の外側を通過する構造となっており、地熱帯４の熱源が熱交換時に冷却されることを抑制し２重管を加熱するための熱が地熱流体によって供給される。生産井９の外管は、ボーリング時に挿入したケーシング１９をそのまま使用する。
【００５６】
生産井９の上部１１は調節弁１３に接続されている。生産井９の上部１１側の温度と圧力は常時計測されており、生産井９の上部１１側の温度または圧力が設定値より下がった場合には、調節弁１３を「開」にして、地熱流体の自然の圧力を利用して地熱流体を通過させて生産井９から取り出す。地熱流体を通過させる過程で、地熱交換器１の外管が加熱される。地熱流体は、地熱帯の圧力があるため、生産井９上部の圧力を調節した圧力水とすることで、外管への熱移動が効率よくなされる。
【００５７】
調節弁１３は、生産井９の上部１１側の温度または圧力に応じて開度が調節される。調節弁１３の開度を調節することにより、地熱流体の取り出し量を調節して、取出す地熱流体の量を必要となる熱量分だけとすることができ、環境に配慮するシステムとすることができる。
【００５８】
生産井９の外部に取り出された地熱流体は、気水分離器１４で減圧して、蒸気分と温水分とに分離される。蒸気分は大気開放させ、温水分は予熱槽１５に送られて、復水器８にて冷却されたタービン作動水を加熱する。これによりシステム全体の熱効率が向上する。
【００５９】
気水分離器１４で温水となった地熱流体は、移送ポンプ１６によって還元井に送られて地中に戻され、温泉水の減少防止に役立たせる。取出された地熱流体は、地熱帯４特有の不純物を含んでいるが、タービン系統へ地熱流体が入らない構造となって、タービン作動水とは完全に分離されているため、不純物の影響を受けることはない。
【００６０】
図３に、本発明の第三実施形態に係る地熱交換器と地熱発電装置を示す。
図３において、地熱交換器１は、地中に設けられて地上から水が供給される水注入管２と、水注入管２に接するように地中に設けられた蒸気取出管３とを備えている。図３においては、水注入管２を地熱帯４側に近い外管とし、蒸気取出管３を水注入管２の内側に設けた内管とした２重管構造としているが、その逆に、蒸気取出管３を外管とし、水注入管２を内管としてもよい。
【００６１】
蒸気取出管３には、その下部領域に、複数の噴出口５が設けられており、水注入管２と蒸気取出管３とは、この噴出口５によって開口状態となっている。すなわち、噴出口５は、水注入管２と蒸気取出管３との境界に設けられている。蒸気取出管３はタービン６に接続されており、蒸気取出管３内底部の圧力は、タービン６が必要とする圧力以下に減圧されている。
【００６２】
水注入管２に自然の落差を利用して供給された水は、水注入管２の底部付近において、地上からの深さにほぼ比例した圧力が加えられ、地熱帯４から熱が供給されて高温圧力水となる。蒸気取出管３内は減圧されているため、この圧力差を利用して、高温圧力水は矢印で示すように、噴出口５から噴霧状態で蒸気取出管３内へ噴き出し、タービン６が必要とする圧力と、水注入管２の底部との圧力差を利用して気化して蒸気単相流に変換される。地下にて生成された蒸気単相流は、蒸気取出管３とタービン６との圧力差でタービン６へ移動したのち、タービン６内で膨張してタービン６を回す動力となる。この動力によって発電機７により発電がなされる。
【００６３】
タービン６を出た蒸気はその後、復水器８にて冷却水により冷却されて水に戻り、再び水注入管２に供給される。循環する水量はタービン６が必要とする蒸気量に等しいため、循環させる水量は非常に少なくて済む。この過程を繰り返すことによって、連続して地熱を取り出す。必要に応じて、補給水は補給水槽１２から補給される。蒸気取出管３とタービン６との間には、蒸気ヘッダー１８が設けられている。
【００６４】
水注入管２と蒸気取出管３との境界下部領域であって、噴出口５が設けられた領域に、加熱器２１が取付けられており、この加熱器２１によって、減圧沸騰時の蒸気温度低下が補償される。これにより、蒸気を発生させる管と地熱帯岩石等との熱伝導率の差に起因する、地熱帯からの熱供給の遅れが生じても、蒸気温度が低下することを防止でき、出力が向上する。
【００６５】
蒸気取出管３の出口側には、ブロワー２２が取り付けられており、蒸気取出管３から取り出される蒸気は、ブロワー２２によってブーストされる。
蒸気をブロワー２２でブーストすると、ブロワー２２の吸込み側の圧力は、タービン圧力からブロワー圧力を差引いた数値となり、蒸気取出管３底部の蒸気噴出し部の圧力は、飽和蒸気の圧力よりブロワー圧力分低下する。そのため、蒸気が飽和蒸気から過熱蒸気領域へ移動する効果と、蒸気の気化をアシストする相乗効果が生まれる。また、ブロワー圧力を大きくすることによって、タービンへ供給する圧力を高く設定できるため、より大きな効果を得ることができる。また、ブロワー２２の回転数を制御することにより、発電出力を制御することができる。
なお、ブロワー２２を取り付ける位置は、蒸気取出管３の出口側に限らず、蒸気発生部からタービンに至る蒸気系統内とすることができる。
【００６６】
蒸気取出管３の出口側には、加熱器２３が取り付けられており、蒸気取出管３から取り出される蒸気は、加熱器２３によって加熱される。
加熱器２３によって蒸気を加熱することにより、高温・高圧の過熱蒸気とすることができる。そのため、タービン６の入り口温度を高く設定でき、タービン６の出力・効率を向上することができる。また、タービン６内で蒸気が水に戻ることを防止できるため、タービン６または熱交換器を駆動する蒸気が結露しにくい状態を保つことができる。
なお、加熱器２３を取り付ける位置は、蒸気取出管３の出口側に限らず、蒸気発生部からタービン６に至る蒸気系統内とすることができる。
上述した加熱器２１、ブロワー２２、加熱器２３の電源は、発電出力の一部を使うことができる。これにより、発電効率は少しダウンするが、高温、高圧の過熱蒸気を生産することができるため、全体としての出力を大きく向上させることができる。
【００６７】
水注入管２と蒸気取出管３とは生産井９内に設置され、生産井９の上部１１は調節弁１３に接続されるとともに生産井９の下部１０は開放されて、地熱流体が生産井９内に流入し２重管の外管である水注入管２の外側を通過する構造となっており、地熱帯４の熱源が熱交換時に冷却されることを抑制し２重管を加熱するための熱が地熱流体によって供給される。生産井９の外管は、ボーリング時に挿入したケーシング１９をそのまま使用する。
【００６８】
生産井９の上部１１は調節弁１３に接続されている。生産井９の上部１１側の温度と圧力は常時計測されており、生産井９の上部１１側の温度または圧力が設定値より下がった場合には、調節弁１３を「開」にして、地熱流体の自然の圧力を利用して地熱流体を通過させて生産井９から取り出す。地熱流体を通過させる過程で、地熱交換器１の外管が加熱される。地熱流体は、地熱帯の圧力があるため、生産井９上部の圧力を調節した圧力水とすることで、外管への熱移動が効率よくなされる。
【００６９】
調節弁１３は、生産井９の上部１１側の温度または圧力に応じて開度が調節される。調節弁１３の開度を調節することにより、地熱流体の取り出し量を調節して、取出す地熱流体の量を必要となる熱量分だけとすることができ、環境に配慮するシステムとすることができる。
【００７０】
生産井９の外部に取り出された地熱流体は、気水分離器１４で減圧して、蒸気分と温水分とに分離される。蒸気分は大気開放させ、温水分は予熱槽１５に送られて、復水器８にて冷却されたタービン作動水を加熱する。これによりシステム全体の熱効率が向上する。
【００７１】
気水分離器１４で温水となった地熱流体は、移送ポンプ１６によって還元井に送られて地中に戻され、温泉水の減少防止に役立たせる。取出された地熱流体は、地熱帯４特有の不純物を含んでいるが、タービン系統へ地熱流体が入らない構造となって、タービン作動水とは完全に分離されているため、不純物の影響を受けることはない。
【００７２】
図４に、本発明の第四実施形態に係る地熱交換器と地熱発電装置を示す。
図４において、地熱交換器１は、地中に設けられ地上から水が供給される水注入管２と、水注入管２の内側に配置された蒸気取出管３と、水注入管２と蒸気取出管３との間に設けられた中管２４とを備えている。従って、外管である水注入管２と、内管である蒸気取出管３と、その中間領域に位置する中管２４とからなる３重管構造となっている。
【００７３】
蒸気取出管３には、その下部領域に、複数の噴出口５が設けられており、水注入管２と蒸気取出管３とは、この噴出口５によって開口状態となっている。蒸気取出管３はタービン６に接続されており、蒸気取出管３内底部の圧力は、タービン６が必要とする圧力以下に減圧されている。
【００７４】
水注入管２に自然の落差を利用して供給された水は、水注入管２の底部付近において、地上からの深さにほぼ比例した圧力が加えられ、地熱帯４から熱が供給されて高温圧力水となる。蒸気取出管３内は減圧されているため、この圧力差を利用して、高温圧力水は矢印で示すように、噴出口５から噴霧状態で蒸気取出管３内へ噴き出し、タービン６が必要とする圧力と、水注入管２の底部との圧力差を利用して気化して蒸気単相流に変換される。地下にて生成された蒸気単相流は、蒸気取出管３とタービン６との圧力差で移動し、タービン６を回す動力となる。この動力によって発電機７により発電がなされる。タービン６を出た蒸気はその後、復水器８にて冷却水により冷却されて水に戻り、再び水注入管２に供給される。この繰り返しにより、継続的に発電がなされる。必要に応じて、補給水は補給水槽１２から補給される。
【００７５】
中管２４の上側から下側に向かって圧縮蒸気が下降し、蒸気取出管３の底部には、中管２４を下降した圧縮蒸気が蒸気取出管３に向かって噴出する圧縮蒸気噴出口２５が設けられている。
【００７６】
蒸気取出管３の出口側に蒸気ヘッダー１８、ブロワー２６が取り付けられている。蒸気ヘッダー１８を通過した蒸気の一部は、ブロワー２６に送られ、ブロワー２６によって中管２４の上部から下部に対して圧力をかけて、圧縮蒸気を送り込み、循環させる。
【００７７】
運転初期は、中管２４の最下部へ向けて圧縮された空気を送り、中管２４下部から圧縮蒸気噴出口２５を介して、内管である蒸気取出管３に向かって上向きに噴出させる。噴出された圧縮空気は内管である蒸気取出管３を通って、蒸気ヘッダー１８へ戻り、循環ラインを構成する。運転状態に入ると、圧縮空気には気化された蒸気が混入することになるが、熱効率アップのために、空気分を外部に放出させてブロワー２６に影響が出ないようにする。ブロワー２６の動力として発電出力の一部を使うことができる。
【００７８】
ブロワー２６の出口側に加熱器２７が取り付けられており、ブロワー２６から噴出す圧縮された循環用蒸気は、加熱器２７によって加熱される。加熱する熱源として発電出力の一部を使うことができる。
【００７９】
水注入管２と蒸気取出管３と中管２４とは生産井９内に設置され、生産井９の上部１１は調節弁１３に接続されるとともに生産井９の下部１０は開放されて、地熱流体が生産井９内に流入し３重管の外管である水注入管２の外側を通過する構造となっており、地熱帯４の熱源が熱交換時に冷却されることを抑制し３重管を加熱するための熱が地熱流体によって供給される。生産井９の外管は、ボーリング時に挿入したケーシング１９をそのまま使用する。
【００８０】
生産井９の上部１１は調節弁１３に接続されている。生産井９の上部１１側の温度と圧力は常時計測されており、生産井９の上部１１側の温度または圧力が設定値より下がった場合には、調節弁１３を「開」にして、地熱流体の自然の圧力を利用して地熱流体を通過させて生産井９から取り出す。地熱流体を通過させる過程で、地熱交換器１の外管が加熱される。地熱流体は、地熱帯の圧力があるため、生産井９上部の圧力を調節した圧力水とすることで、外管への熱移動が効率よくなされる。
【００８１】
調節弁１３は、生産井９の上部１１側の温度または圧力に応じて開度が調節される。調節弁１３の開度を調節することにより、地熱流体の取り出し量を調節して、取出す地熱流体の量を必要となる熱量分だけとすることができ、環境に配慮するシステムとすることができる。
【００８２】
生産井９の外部に取り出された地熱流体は、気水分離器１４で減圧して、蒸気分と温水分とに分離される。蒸気分は大気開放させ、温水分は予熱槽１５に送られて、復水器８にて冷却されたタービン作動水を加熱する。これによりシステム全体の熱効率が向上する。
【００８３】
気水分離器１４で温水となった地熱流体は、移送ポンプ１６によって還元井に送られて地中に戻され、温泉水の減少防止に役立たせる。取出された地熱流体は、地熱帯４特有の不純物を含んでいるが、タービン系統へ地熱流体が入らない構造となって、タービン作動水とは完全に分離されているため、不純物の影響を受けることはない。
【００８４】
上述したいずれの実施形態においても、抗井の高温地帯の深度が大きい場合、水注入管２に供給する高度処理水の水位を低くすることにより、地表面に近い低温地帯２０に接する水注入管２には空気層１７が形成されるため、これにより断熱効果を向上することができる。また、水注入管２下部における地熱帯４と接する面は、熱伝導特性に優れた材質のものを使用して、地熱を吸収しやすいようにする。
【００８５】
本発明の第一実施形態から第三実施形態においては、地熱交換器１は、少なくとも１つの水注入管２と少なくとも１つの蒸気取出管３とが組み合わされてなる挿入管が、複数の生産井９に対して挿入されて構成され、蒸気取出管３の出口が並列に接続されて、それぞれの生産井９を用いて得られる蒸気が合計して採集され、採集された蒸気の圧力を均一化する蒸気ヘッダー１８を備えている構成とすることができる。
【００８６】
また、本発明の四実施形態においては、地熱交換器１は、少なくとも１つの水注入管２と少なくとも１つの蒸気取出管３と少なくとも１つの中管３０とが組み合わされてなる挿入管が、複数の生産井９に対して挿入されて構成され、蒸気取出管３の出口が並列に接続されて、それぞれの生産井９を用いて得られる蒸気が合計して採集され、採集された蒸気の圧力を均一化する蒸気ヘッダー１８を備えている構成とすることができる。
【００８７】
１つの生産井９に対して１つの挿入管を挿入して使用することも可能であるが、ボーリングする場所によって、温度・圧力ともそれぞれ異なるため、発電に利用した場合に１つの生産井９に対する発電出力がそれぞれ違うこととなる。そのため、複数の生産井９に対して、挿入管の蒸気取出管３の出口を並列につなぎ、それぞれの生産井９を用いて得られる蒸気を合計して採集することで、タービン・復水器・発電機・変圧器等の容量を大きく設計することができ、発電所全体の効率がアップするという利点がある。また、蒸気ヘッダー１８を配置することにより、採集された蒸気の圧力の均一化を図ることができ、圧力が均一化された蒸気を単機のタービンに供給することができる。
【００８８】
例えば、３つの生産井９を使用する場合、それぞれの生産井９での熱出力を発電機出力に換算して、１号井５００ｋＷ、２号井４００ｋＷ、３号井６００ｋＷである場合、３ユニット独立で発電システムを構築するより、これらを合計して、１号井＋２号井＋３号井＝１５００ｋＷの１ユニットとして設計すれば、全体の出力は同じでも、タービン・復水器・発電機・変圧器の容量を大きく設計することができ、電気機器の効率は容量によってアップするため、発電に利用した場合には発電所全体の効率がアップすることになる。また、工事費等の建設費を格段に安くすることができる。
【００８９】
また、地熱交換器１の設置にあたっては、新設の生産井を用いることができる他、既存の設備、例えば、既存の地熱発電所に付帯する生産井であって、空の生産井や休止中の生産井を用いることができる。第一実施形態から第三実施形態においては、このような生産井に対して、水注入管２と蒸気取出管３とが組み合わされて構成される挿入管を挿入して用いることができ、第四実施形態においては、水注入管２と蒸気取出管３と中管２４とが組み合わされて構成される挿入管を挿入して用いることができる。特に、蒸気単相流として地中から取出すことにより、挿入管の径を小さくすることができるため、使用できる生産井の自由度が高まり、既存の生産井の有効利用を促進することができる。
【００９０】
図５から図８に、加圧ポンプが地上に配置されている形態を示す。
図５は、第一実施形態において加圧ポンプ２８を付加したものであり、図６は、第二実施形態において加圧ポンプ２８を付加したものであり、図７は、第三実施形態において加圧ポンプ２８を付加したものであり、図８は、第四実施形態において加圧ポンプ２８を付加したものである。いずれの場合においても、水注入管２に供給される水を加圧するための加圧ポンプ２８が地上に配置されている。水注入管２に供給される水は、地上にて加圧ポンプ２８によって加圧されるため、水注入管２の下部においては、この加圧による圧力と、地上からの深さにほぼ比例した圧力を合計した加圧水となる。
【００９１】
図１から図４に示すように、本発明は、自然水圧で加圧されることを基本としているが、地熱帯によっては、地熱帯深度ごとに高温領域が出てくる場合がある。このような状況下において、水注入管２の深さによって温度が飽和温度を超えると、水注入管２内で水が沸騰して蒸気になり、システムに影響をおよぼすことが起こりうる。加圧ポンプ２８は、この状況に対応するための手段であり、図５から図８に示すように、水注入管２に対して地上から加圧ポンプ２８で加圧することにより、注入された水が水注入管２内で沸騰することを防止できる。そのため、水注入管２内で蒸気が発生することなく、水注入管２の下部から噴出口５を介してスムーズに蒸気に変換させることができる。また、生産される蒸気の圧力を高くすることができるため、発電出力を大幅に高くすることができる。
【００９２】
上述したように、本発明によると、熱交換という物理現象において、熱交換の対象となる相手が冷却されるという、２重管式地熱発電のリスクを大幅に回避することができる。また、使用する蒸気、熱水によって不純物が装置に付着することがなく、熱効率に優れた熱交換が可能であり、地熱帯付近における環境に悪影響を及ぼすことの少ない、新しい地熱発電装置を実現することができる。
【産業上の利用可能性】
【００９３】
本発明の地熱交換器および地熱発電装置は、沸騰水型地熱発電に応用が可能であり、従来型地熱発電方式である、フラッシュ型、ダブルフラッシュ型、バイナリー発電方式の生産井と一部を共用することが可能であるため、地熱発電全般の普及に大きく貢献できる。
【符号の説明】
【００９４】
１  地熱交換器
２  水注入管
３  蒸気取出管
４  地熱帯
５  噴出口
６  タービン
７  発電機
８  復水器
９  生産井
１０  生産井の下部
１１  生産井の上部
１２  補給水槽
１３  調節弁
１４  気水分離器
１５  予熱槽
１６  移送ポンプ
１７  空気層
１８  蒸気ヘッダー
１９  ケーシング
２０  低温地帯
２１  加熱器
２２  ブロワー
２３  加熱器
２４  中管
２５  圧縮蒸気噴出口
２６  ブロワー
２７  加熱器
２８  加圧ポンプ
【要約】
【課題】熱交換に伴って地熱帯が冷却される場合であっても、抽出熱量を確保することが可能な地熱交換器および地熱発電装置を提供する。
【解決手段】地熱交換器１は、地上から水が供給される水注入管２と、水注入管２に接するように地中に設けられた蒸気取出管３とを備えている。蒸気取出管３には、その下部領域に複数の噴出口５が設けられ、地熱帯４から熱が供給されて生成される高温圧力水は噴出口５から噴霧状態で蒸気取出管３内へ噴き出す。水注入管２と蒸気取出管３とは生産井９内に設置され、生産井９の上部１１は調節弁１３に接続されるとともに生産井９の下部１０は開放されて、地熱流体が生産井９内に流入し２重管の外管の外側を通過する構造となっており、地熱帯４の熱源が熱交換時に冷却されることを抑制し２重管を加熱するための熱が地熱流体によって供給される。
【選択図】図１【図１】
0005999827.tif 000002
【図２】
0005999827.tif 000003
【図３】
0005999827.tif 000004
【図４】
0005999827.tif 000005
【図５】
0005999827.tif 000006
【図６】
0005999827.tif 000007
【図７】
0005999827.tif 000008
【図８】
0005999827.tif 000009